(57)【要約】【課題】枠体に簡単に取り付けることができ、取り付け後に枠体から外れ難いジョイントを提供する。【解決手段】ジョイント２０は、それぞれが異なる枠体１２に取り付けられる一対の取付部材２２,２２と、一対の取付部材２２,２２のそれぞれを、取付部材２２毎の軸構造を介して上下方向の軸周りに相対的な角度調節可能に連結する連結部材２４とを備えている。また、ジョイント２０は、軸構造毎に対応して設けられ、連結部材２４に対する取付部材２２の相対的な角度調節を許容または規制するように操作可能に構成された調節部材２６を備えている。【選択図】図３
0003222331.tif 000002
【実用新案登録請求の範囲】
【請求項１】
上下に対向して配置された一対の枠部と、前記一対の枠部の間に架設された桟部とを備える枠体同士を繋ぐ柵用ジョイントであって、
それぞれが異なる前記枠体に取り付けられる一対の取付部材と、
前記一対の取付部材のそれぞれを、該取付部材毎の軸構造を介して上下方向の軸周りに相対的な角度調節可能に連結する連結部材と、
前記軸構造毎に対応して設けられ、前記連結部材に対する前記取付部材の相対的な角度調節を許容または規制するように操作可能に構成された調節部材と、を備え、
前記取付部材は、
前記枠部の端部を収容可能な収容部と、
前記収容部に収容された前記枠部から延びる前記桟部を収容可能な開口部と、
前記開口部に前記桟部を収容する際に互いに離れるように変形して、該桟部の通過を許容する一方で、該開口部に収容された該桟部を抜け止めする規制部と、を備えている
ことを特徴とする柵用ジョイント。
【請求項２】
前記規制部は、前記開口部に繋がる側が、前記桟部よりも狭小に形成されると共に、前記開口部側から該開口部に向けて前記桟部を挿入する側に向かうにつれて幅広になるように形成されている請求項１記載の柵用ジョイント。
【請求項３】
前記連結部材は、
前記取付部材に設けられた軸受部に嵌まる前記軸構造を構成する軸部を、前記一対の取付部材のそれぞれに対応して備える第１連結部と、
前記軸受部および前記軸部を貫通する貫通孔に挿入される雄ネジ部を、前記一対の取付部材のそれぞれに対応して有し、前記第１連結部との間に前記取付部材を挟むように配置される第２連結部と、を備え、
前記調節部材は、前記貫通孔に挿入される筒状部の内側に形成された雌ネジ部を、前記雄ネジ部と螺合して、前記第１連結部と前記第２連結部とによる前記取付部材の挟持力を調節可能に構成されている請求項１または２記載の柵用ジョイント。
【考案の詳細な説明】
【技術分野】
【０００１】
この考案は、ベビーサークルなどの柵用ジョイントに関するものである。
【背景技術】
【０００２】
複数の枠体をジョイントで繋ぎ合わせて、幼児の通行を規制するベビーサークルがある(例えば、特許文献１参照)。このようなベビーサークルは、ジョイントにおける断面コ字状に形成された挿入部に枠体を挿入し、挿入部で枠体を挟んで取り付けている。
【先行技術文献】
【特許文献】
【０００３】
【特許文献１】実用新案登録第３２０７７７７号公報
【考案の概要】
【考案が解決しようとする課題】
【０００４】
前述したジョイントは、枠体を挿入部で挟んでいるだけであるので、挿入部から枠体が外れてしまうおそれがある。
【０００５】
本考案は、従来の技術に係る前記問題に鑑み、これらを好適に解決するべく提案されたものであって、枠体を簡単に取り付けて、枠体に固定することができる柵用ジョイントを提供することを目的とする。
【課題を解決するための手段】
【０００６】
前記課題を克服し、所期の目的を達成するため、本考案に係る柵用ジョイントは、
上下に対向して配置された一対の枠部と、前記一対の枠部の間に架設された桟部とを備える枠体同士を繋ぐ柵用ジョイントであって、
それぞれが異なる前記枠体に取り付けられる一対の取付部材と、
前記一対の取付部材のそれぞれを、該取付部材毎の軸構造を介して上下方向の軸周りに相対的な角度調節可能に連結する連結部材と、
前記軸構造毎に対応して設けられ、前記連結部材に対する前記取付部材の相対的な角度調節を許容または規制するように操作可能に構成された調節部材と、を備え、
前記取付部材は、
前記枠部の端部を収容可能な収容部と、
前記収容部に収容された前記枠部から延びる前記桟部を収容可能な開口部と、
前記開口部に前記桟部を収容する際に互いに離れるように変形して、該桟部の通過を許容する一方で、該開口部に収容された該桟部を抜け止めする規制部と、を備えていることを要旨とする。
【考案の効果】
【０００７】
本考案に係る柵用ジョイントによれば、枠体を簡単に取り付けて、枠体に固定することができる。
【図面の簡単な説明】
【０００８】
【図１】本考案の実施例に係るジョイントを用いた柵の一例を示す平面図である。
【図２】実施例のジョイントを用いた柵において、枠体を折り畳んだ状態を示す平面図である。
【図３】実施例のジョイントを用いた柵の要部を示す正面図である。
【図４】実施例のジョイントの正面図である。
【図５】図３のＡ−Ａ線に対応する位置で切断して示す断面図である。なお、一方の枠体の取り付け時を示している。
【図６】実施例のジョイントを示す底面図である。(ａ)は一対の取付部材を直線的に展開した状態を示し、(ｂ)は一対の取付部材を並列させた状態を示す。
【図７】実施例のジョイントを示す縦断面図である。
【図８】実施例のジョイントを分解して示す正面図である。
【図９】実施例のジョイントを分解して示す縦断面図である。
【考案を実施するための形態】
【０００９】
次に、本考案に係る柵用ジョイントにつき、好適な実施例を挙げて、添付図面を参照して以下に説明する。
【実施例】
【００１０】
図１に示すように、実施例に係るジョイント(柵用ジョイント)２０は、枠体１２,１２同士を繋いで、２枚以上の枠体１２からなる柵１０を構成することに用いられる。例えば、２枚の枠体１２をジョイント２０で繋いで間仕切りのようにしたり、４枚の枠体１２をジョイント２０で繋いで四角形の囲いのようにしたり、図１に示す６枚の枠体１２をジョイント２０で繋いで六角形の囲いのようにしたりするなど、枠体１２の枚数に応じて様々なバリエーションにできる。また、図２に示すように、ジョイント２０は、隣り合う枠体１２,１２が重なるように折り畳み可能であり、使用しないときに折り畳んでコンパクトにまとめることができる。このように、ジョイント２０は、隣り合う枠体１２の相対的な角度を調節可能に構成されている。
【００１１】
図３に示すように、枠体１２は、上下に離して対向して配置された一対の枠部１４,１４と、一対の枠部１４,１４の間に架設された桟部１６とを備えている。枠体１２には、複数の桟部１６が互いに離して設けられている。柵１０は、枠体１２の上部および下部にジョイント２０を取り付けて、隣り合う２つの枠体１２,１２を連結して構成される。上下のジョイント２０は、同じ構成であり、互いに上下対称な姿勢で用いられている。
【００１２】
図４〜図９に示すように、ジョイント２０は、それぞれが異なる枠体１２に取り付けられる一対の取付部材２２,２２と、一対の取付部材２２,２２のそれぞれを、取付部材２２毎の軸構造を介して上下方向の軸周りに相対的な角度調節可能に連結する連結部材２４とを備えている。また、ジョイント２０は、軸構造毎に対応して設けられ、連結部材２４に対する取付部材２２の相対的な角度調節を許容または規制するように操作可能に構成された調節部材２６を備えている。ジョイント２０は、連結する２つの枠体１２,１２のうちの一方に取り付く取付部材２２と、連結する２つの枠体１２,１２のうちの他方に取り付く取付部材２２とを有し、２つの取付部材２２,２２を連結部材２４で連結している。また、ジョイント２０は、連結する２つの枠体１２,１２のうちの一方に取り付く取付部材２２を連結部材２４に対して回動可能に支持する軸構造と、この軸構造に対応して設けられた調節部材２６を有している。ジョイント２０は、連結する２つの枠体１２,１２のうちの他方に取り付く取付部材２２を連結部材２４に対して回動可能に支持する軸構造と、この軸構造に対応して設けられた調節部材２６を有している。このように、ジョイント２０は、一方の調節部材２６を他方の調節部材２６と独立して操作可能になっていると共に、一方の取付部材２２が他方の取付部材２２と独立して角度調節可能になっている。なお、２つの取付部材２２,２２の構成、軸構造および調節部材２６,２６の構成は同じなので、片方のみ説明する。
【００１３】
図７および図９に示すように、取付部材２２は、枠部１４の端部を収容可能な収容部２８と、収容部２８に収容された枠部１４から延びる桟部１６を収容可能な開口部３０とを備えている。また、取付部材２２は、開口部３０に桟部１６を収容する際に互いに離れるように変形して、桟部１６の通過を許容する一方で、開口部３０に収容された桟部１６を抜け止めする規制部３２を備えている。収容部２８は、枠部１４の上下寸法および厚みに合わせて、一方の横側に開口する箱状に形成され、枠部１４の端部に嵌め合わせるようになっている。図５および図６に示すように、開口部３０は、桟部１６の大きさおよび形状に合わせて、取付部材２２の下面(他方のジョイント２０側の面)に開口するように形成され、桟部１６に嵌め合わせるようになっている。規制部３２は、取付部材２２の下面(他方のジョイント２０側の面)に設けられている。規制部３２は、開口部３０に繋がる側が、桟部１６よりも狭小に形成されると共に、開口部３０側から開口部３０に向けて桟部１６を挿入する側に向かうにつれて幅広になるように形成されている(図５および図６参照)。規制部３２は、取付部材２２の下面に、収容部２８の開口側から開口部３０に亘って、桟部１６よりも狭小な部分を有する通路を形成し、桟部１６を通す際に弾性変位して通路を拡開し、開口部３０に桟部１６が収容されると元に弾性復帰する。
【００１４】
図７および図９に示すように、取付部材２２は、収容部２８の開口と反対側に、軸構造を構成する軸受部３４が設けられている。軸受部３４の底部には、軸周りに一定間隔で形成された凹凸からなる係止受部３６が設けられている(図８参照)。また、軸受部３４には、底部中央を上下に貫通する軸受部貫通孔(貫通孔)３８が設けられている。
【００１５】
図８に示すように、連結部材２４は、取付部材２２に設けられた軸受部３４に嵌まる軸部４２を、一対の取付部材２２,２２のそれぞれに対応して備える第１連結部４０を備えている。第１連結部４０には、それぞれ上下方向へ突出する２つの軸部４２,４２が並べて配置され、軸部４２が取付部材２２の軸受部３４に嵌まって、連結部材２４に対して取付部材２２を回動可能に支持する軸構造が構成される。また、連結部材２４は、第１連結部４０との間に取付部材２２の軸受部３４を挟むように配置される第２連結部４６を備えている。第２連結部４６は、軸受部３４を貫通する軸受部貫通孔３８および軸部４２を貫通する軸部貫通孔(貫通孔)４４に挿入される雄ネジ部４８を、一対の取付部材２２,２２のそれぞれに対応して備えている。第２連結部４６には、それぞれ上下方向へ突出する２つの雄ネジ部４８が並べて配置されている。
【００１６】
図８および図９に示すように、軸部４２の先端には、軸部貫通孔４４を囲う軸周りに一定間隔で形成された凹凸からなる係止部５０が設けられている。軸受部３４に軸部４２を嵌め合わせた際に、係止部５０と係止受部３６とが噛み合い、これにより、連結部材２４に対する取付部材２２の相対的な角度調節を規制可能になっている。
【００１７】
図７および図９に示すように、調節部材２６は、調節つまみ２６ａと、調節つまみ２６ａから上下方向へ突出する筒状部２６ｂと、筒状部２６ｂの内側に形成された雌ネジ部５２とを備えている。調節部材２６は、貫通孔３８,４４に挿入した筒状部２６ｂの内側に形成された雌ネジ部５２を、貫通孔３８,４４に挿入した雄ネジ部４８と螺合して取り付けられる。雌ネジ部５２と雄ネジ部４８との螺合により、取付部材２２の軸受部３４を第２連結部４６と第１連結部４０を介して調整つまみ２６ａの間に挟んで、連結部材２４と取付部材２２とを組み合わせる。なお、調整つまみ２６ａと第１連結部４０との間には、筒状部２６ｂに通したゴム製のＯリング５４が配置される。
【００１８】
調節部材２６は、調節つまみ２６ａの回転操作により雌ネジ部５２との螺合状態を変えて、雄ネジ部４８と第１連結部４０と第２連結部４６とによる取付部材２２の挟持力を調節可能に構成されている。調節部材２６は、雌ネジ部５２と雄ネジ部４８とを締め付けることで、第１連結部４０および第２連結部４６の挟持と、係止部５０および係止受部３６の噛み合いとにより、連結部材２４に対する取付部材２２の相対的な角度調節を規制した状態にできる。また、調節部材２６は、雌ネジ部５２と雄ネジ部４８とを緩めることで、係止部５０と係止受部３６との噛み合いを解除して、連結部材２４に対する取付部材２２の相対的な角度調節を許容した状態にできる。
【００１９】
ジョイント２０は、取付部材２２の収容部２８に枠体１２における枠部１４の端部を差し込むと共に、規制部３２に差し込んだ桟部１６によって規制部３２を押し広げて開口部３０に桟部１６を通すことで、取付部材２２を枠体１２に簡単に取り付けることができる。ここで、規制部３２は、桟部１６を差し込む側が広くなっているので、桟部１６を通し易くなっている。このように、枠体１２と取付部材２２とを相対的に一方向へ近づけるだけの操作で、ジョイント２０を枠体１２に取り付けることができ、柵１０の組み立て作業を容易にすることができる。また、ジョイント２０は、枠体１２に取り付けると、開口部３０に収容された桟部１６が規制部３２に引っ掛かって抜け止めされる。これにより、柵１０に幼児が寄りかかるなど力が加わった場合であっても、ジョイント２０が枠体１２から外れることを防止できる。
【００２０】
ジョイント２０は、連結部材２４に対して取付部材２２を相対的に角度調節可能に支持する軸構造毎に調節部材２６を備えているので、一方の取付部材２２を他方の取付部材２２と独立して角度調節することができ、使い勝手に優れている。
【符号の説明】
【００２１】
１２ 枠体，１４ 枠部，１６ 桟部，２０ ジョイント(柵用ジョイント)，
２２ 取付部材，２４ 連結部材，２６ 調節部材，２６ｂ 筒状部，２８ 収容部，
３０ 開口部，３２ 規制部，３８ 軸受部貫通孔(貫通孔)，４０ 第１連結部，
４２ 軸部，４４ 軸部貫通孔(貫通孔)，４６ 第２連結部，４８ 雄ネジ部，
５２ 雌ネジ部
【図１】
0003222331.tif 000003
【図２】
0003222331.tif 000004
【図３】
0003222331.tif 000005
【図４】
0003222331.tif 000006
【図５】
0003222331.tif 000007
【図６】
0003222331.tif 000008
【図７】
0003222331.tif 000009
【図８】
0003222331.tif 000010
【図９】
0003222331.tif 000011